(57)【特許請求の範囲】
【請求項１】
高さ方向の中間位置に凹部を設けるとともに、前記高さ方向の上下に一対の柱状中空体を設けた段ボールにて形成される定形の１つの外パットと、前記外パットとは異なる一枚の段ボールを内側から折り起して又はその外側から折り込んで前記高さ方向に一対の柱状中空体を形成するように組み立てることにより、外形は収容する内容物の形状に関わらず一定であるとともに内部形状は収容する前記内容物の外形に合わせて適宜決定され、前面側で前記内容物の一部を保持し背面側が前記凹部に嵌合する形状の内パットとを有し、前記外パットの前記凹部に前記内パットを嵌合して組合せることにより、前記外パットの前記柱状中空体と前記内パットの前記柱状中空体とで前記内容物の端部の四方を保持することを特徴とする段ボールパッキン。
【請求項２】
前記内パットは、直交する二方向から折り込んで柱状中空体を形成し、一方の前記柱状中空体の折り込んだ端部を他方の前記柱状中空体の内容物が位置する側以外の面に設けた穴部に嵌入させて固定することを特徴とする請求項１記載の段ボールパッキン。
【請求項３】
前記内パットは、三角柱状中空体を枠体の長片と短片より形成される角部に有し、前記三角柱状中空体は前記長片と前記短片とを固定し、前記三角柱状中空体の斜面が内部に収容された内容物に当接することを特徴とする請求項１または請求項２記載の段ボールパッキン。
【請求項４】
平行に折り曲げることで第一の立体部を構成する複数の平行面が連続する方向の端面に所定の角度を持たせて連設され、折り曲げることで前記三角柱状中空体を構成する連続面を有することを特徴とする請求項３記載の段ボールパッキン。
【請求項５】
前記外パット及び前記内パットを左右一対有し、前記外パットの対向する垂直面と前記内パットの上部水平面とに接する状態で前記一対のパット部の間に篏入される上部パットを有することを特徴とする請求項１から請求項４のいずれかに記載の段ボールパッキン。
【請求項６】
外箱高さ方向と略同一の高さを有し、かつ、その高さ方向と平行に設けた２本の折目を屈曲させて断面コ字状の状態で篏合する段ボールパッキン補強パットを設けることを特徴とする請求項１から請求項５のいずれかに記載の段ボールパッキン。
【請求項７】
一枚の段ボールから折り起こした三角柱状中空体を枠体の長片と短片より形成される角部に有し、前記三角柱状中空体は前記長片と前記短片とを固定し、前記三角柱状中空体の斜面が内部に収容された内容物に当接することを特徴とする請求項１から請求項６のいずれかに記載の段ボールパッキン。
【発明の詳細な説明】
【０００１】
【産業上の利用分野】
本発明は、パーソナルコンピュータやファクシミリ装置等の角柱状形態の内容物を梱包する際に用いる段ボールパッキンに関する。
【０００２】
【従来の技術】
従来、パーソナルコンピュータやファクシミリ装置等の角柱状形態の内容物を梱包する際には、発泡スチロール等で成形されたパッキンが広く用いられてきた。これは、製造が容易で価格も安いという利点がある。
【０００３】
【発明が解決しようとする課題】
しかし、このような従来の発泡スチロール製のパッキンはリサイクルに適さず環境保護の観点から問題があるため、その使用は極力避けるべきことが望ましい。かかる観点から、近時、パルプモールド製のパッキンも普及しつつある。
【０００４】
ところが、パルプモールド製のパッキンは、それ自体強度が低く、また、湿度が高い場合や水に濡れた場合等には容易に変形するため、、特に緩衝が必要なパーソナルコンピュータやファクシミリ装置等の精密機器の梱包には適さない。
【０００５】
本発明は、上述の問題点に鑑みて為されたものであり、特殊形状のダンボールを用いて環境保護を実現し、しかも、緩衝機能が高い新規なパッキンを提供することを目的とする。
【０００６】
【課題を解決するための手段】
上述の問題点を解決するため、本願発明は以下の構成をとる。
【０００７】
請求項１記載の発明は、高さ方向の中間位置に凹部を設けるとともに、前記高さ方向の上下に一対の柱状中空体を設けた段ボールにて形成される定形の１つの外パットと、前記外パットとは異なる一枚の段ボールを内側から折り起して又はその外側から折り込んで前記高さ方向に一対の柱状中空体を形成するように組み立てることにより、外形は収容する内容物の形状に関わらず一定であるとともに内部形状は収容する前記内容物の外形に合わせて適宜決定され、前面側で前記内容物の一部を保持し背面側が前記凹部に嵌合する形状の内パットとを有し、前記外パットの前記凹部に前記内パットを嵌合して組合せることにより、前記外パットの前記柱状中空体と前記内パットの前記柱状中空体とで前記内容物の端部の四方を保持するものである。
【０００８】
請求項２記載の発明は、前記内パットは、直交する二方向から折り込んで柱状中空体を形成し、一方の前記柱状中空体の折り込んだ端部を他方の前記柱状中空体の内容物が位置する側以外の面に設けた穴部に嵌入させて固定することである。
【０００９】
請求項３記載の発明は、前記内パットは、三角柱状中空体を枠体の長片と短片より形成される角部に有し、前記三角柱状中空体は前記長片と前記短片とを固定し、前記三角柱状中空体の斜面が内部に収容された内容物に当接するものである。
【００１０】
請求項４記載の発明は、平行に折り曲げることで第一の立体部を構成する複数の平行面が連続する方向の端面に所定の角度を持たせて連設され、折り曲げることで前記三角柱状中空体を構成する連続面を有することである。
【００１１】
請求項５記載の発明は、前記外パット及び前記内パットを左右一対有し、前記外パットの対向する垂直面と前記内パットの上部水平面とに接する状態で前記一対のパット部の間に篏入される上部パットを有することである。
【００１２】
請求項６記載の発明は、外箱高さ方向と略同一の高さを有し、かつ、その高さ方向と平行に設けた２本の折目を屈曲させて断面コ字状の状態で篏合する段ボールパッキン補強パットを設けることである。
【００１３】
請求項７記載の発明は、一枚の段ボールから折り起こした三角柱状中空体を枠体の長片と短片より形成される角部に有し、前記三角柱状中空体は前記長片と前記短片とを固定し、前記三角柱状中空体の斜面が内部に収容された内容物に当接することである。
【００１７】
【作用】
上記した請求項１記載の発明は、定形の外パットと非定形の内パットとの２ピース構造であり、段ボールのサイズの小さい内パットを内容物に併せて造る一方、外パットは内容物の形状に関わらず共通して用いることができるため、外パットの量産が可能となるので段ボールパッキンの製造コストを大幅に下げることが可能となる。
【００１８】
請求項２記載の発明は、その柱状中空体を直交する二方向から折り込んで形成するとともに、折り込んだ端部を嵌入する穴部を内容物が位置する側以外の面に設けて、内容物が位置する側を平坦にした状態で柱状中空体を形成することができるため、緩衝効果をより大きくすることが可能となる。
【００１９】
請求項３記載の発明は、内容物が斜面を有する場合であってもその斜面を柱状中空体で支持できるため、緩衝効果をより大きくすることが可能となる。
【００２０】
請求項４記載の発明は、二つの立体が連続的に形成されるため、構造強度が高いばかりでなく、製造・組立ても極めて簡易な段ボールパッキンが得られる。
【００２１】
請求項５記載の発明は、上部パットにより左右一対のパット部が相互に強固に支持されるため、外箱自体の水平面内での歪みに対する強度が各段に向上することとなる。
【００２２】
請求項６記載の発明は、補助パットが断面コ字状に屈曲されており外箱高さ方向と略同一の高さであるため、簡易な構成で段ボールパッキンの高さ方向の強度を格段に向上させることができる。
【００２３】
請求項７記載の発明は、内容物が斜面を有する場合であってもその斜面を柱状中空体で支持できるため、緩衝効果をより大きくすることが可能となる。
【００２７】
【実施例】
以下、本発明の好適な実施例を説明する。
【００２８】
図１は、本発明の段ボールパッキンの全体構造を示す斜視図である。図１に示すように、本発明の段ボールパッキンは、複数の段ボールパッキンの集合であり、内パット１Ｒと補助パット２Ｒとを外パット３Ｒに篏合して構成される右パット部と、内パット１Ｒとは形の異なる内パット１Ｌと補助パット２Ｌとを外パット３Ｌに篏合して構成される左パット部とを、各々内容物にはめ込んで外箱４に収納し、更に、部品箱を兼ねた上部パット１１を外パット３Ｒと外パット３Ｌとの間にはめ込むようにして使用される。
【００２９】
図２は、内パット１Ｒを展開した状態で示す平面図であり、同図に示す点線を基準にして図３・図４のように段ボールを折り曲げながら組立てて行くと、一枚の平面状の段ボールから最終的には図５に示すような形状の立体的な段ボールパッキンが形成される。この内パット１Ｒの外形は収容する内容物の形状に関わらず一定であるが、その内部形状は収容する物の外形に合せて適宜決定される。ここで、５は組立てることにより柱状の中空体となるものであり、直交する二方向から段ボールを折り曲げて形成されるが、その端部に設けられた爪部６を穴部７にはめ込んで完成する。内容物の長手方向は荷重に対して弱くなるが、柱状中空体５はそれに対して垂直となるように配置されている。このように、柱状中空体５が段ボールパッキンの両端部に対で設けられることで外箱４の高さ方向の荷重から内容物を保護する。なお、爪部６及び穴部７は内容物を収納する側とは反対側に設けられており内容物が位置する側を平坦にした状態で柱状中空体を形成することができるため、内容物に傷等をつけることもなく、緩衝効果をより大きくすることが可能となる。
【００３０】
また、８は組立てることにより三角柱状の中空体となるものであり、端部に折り込み用の爪部を有し所定の形状・折目を有する一枚の段ボールの一部を折り起こすことにより、三角柱状の中空体が段ボールパッキンの枠体の角部に配置されるようになっている。更に詳述すれば、三角柱状中空体８は、図２に示すように、平行に折り曲げられる面Ａ、Ｂ、Ｃ、Ｄから成る平行面の端面Ｄに対して所定の角度を持たせて連設された連続した三面８ａ、８ｂ、８ｃから構成されており、面Ｄを角柱を構成する一面として使用している。従って、平行面Ａ、Ｂ、Ｃ、Ｄから第一の立体的な緩衝部が形成され、連続面８ａ、８ｂ、８ｃ、Ｄから第二の立体的な緩衝部が形成されることとなり二つの立体が連続的に形成されるため、構造強度が高いばかりでなく、製造・組立ても極めて簡易な段ボールパッキンが得られる。更に、この三角柱状中空体８は、段ボールパッキンを組立てた場合に、内容物の上部斜面に当接するような形状となっている。従って、パッキンがその斜面に面接触して内容物を支持できるため、緩衝機能がより増大するとともに、段ボールパッキンを構成する枠体の長辺と短辺とを固定することになることから段ボールパッキンの斜方向の強度を増強させることができる。なお、フレーム部９も斜方向の強度を増強させるために設けられている。
【００３１】
このようにして組立てられた内パット１Ｒは、爪部１０により外パット３Ｒにはめ込まれるようになっている。上述のようにその内部形状は収容する物の外形に合せて適宜決定されるが、内パット１Ｒの外形は収容する内容物の形状に関わらず一定であるため、内容物の形態に応じて内パットの内部形状を変更しても内容物が同一の外箱に収納できるサイズであれば、同一の外パットを共通して使用することができる。尚、この外パット３Ｒにも、緩衝効果を高めるべく外箱４の縦方向の上部と下部とに一対の柱状中空体が配置されている。また、爪部１０は内パット１Ｒを外パット３Ｒに固定するために設けられているが、必須のものではない。
【００３２】
更に、外箱４の高さ方向の強度を一層増加させるために、外パット３Ｒと略同じ高さを有し断面コ字状の補助パット２Ｒを外パット３Ｒの背面中央部に取付けてある。外パット３Ｒと同じ高さであること、断面を屈曲させてあること、はめ込むことにより外パット３Ｒと一体化すること等により構造強度が格段に向上する。
【００３３】
以上のようにして、内パット１Ｒと補助パット２Ｒと外パット３Ｒとを組合せることにより右パット部が組立てられるが、左パット部も同様に構成されている。図１からも明らかなように、内パット部１Ｒと１Ｌには、外箱４の高さ方向に一対の柱状中空体が設けられており、外パット３Ｒと３Ｌには、外箱４の縦方向に一対の柱状中空体が設けられており、これらが組み合わされることにより内容物の端部の四方が柱状中空体が囲まれて保持されることとなり、しかも、これら柱状中空体の二面を三角柱状中空体８が支えることとなる。従って、縦横斜のいずれの方向からの衝撃に対しても極めて大きな緩衝効果を発揮することとなる。そして、これら柱状中空体が内容物を面で保持するため衝撃に対してより強固になる。
【００３４】
次に、上部パット１１について説明する。
上部パット１１は、上述のとおり部品箱を兼ねたものであるが、その下面は基準となる内パット１Ｒと１Ｌとの上部水平面１２Ｒ、１２Ｌに当接し、その側面は外パット３Ｒと３Ｌとの垂直面１３Ｒ、１３Ｌに当接している。従って、内容物を収納した段ボールパッキンを外箱４に収納して蓋をした状態で、上部パット１１は、平行な垂直面１３Ｒと１３Ｌとが衝撃等によりねじれを受けるのを防止することとなる。つまり、上部パット１１により、内パット１Ｒ、外パット２Ｒ、内パット１Ｌ、外パット２Ｌが相互に強固に支持される結果、外箱４自体の水平面内での歪みに対する強度が格段に向上することとなる。
【００３５】
【発明の効果】
以上の説明から明らかなように、本願発明は以下のような効果を有する。
【００３６】
請求項１記載の発明は、高さ方向の中間位置に凹部を設けるとともに、前記高さ方向の上下に一対の柱状中空体を設けた段ボールにて形成される定形の１つの外パットと、前記外パットとは異なる一枚の段ボールを内側から折り起して又はその外側から折り込んで前記高さ方向に一対の柱状中空体を形成するように組み立てることにより、外形は収容する内容物の形状に関わらず一定であるとともに内部形状は収容する前記内容物の外形に合わせて適宜決定され、前面側で前記内容物の一部を保持し背面側が前記凹部に嵌合する形状の内パットとを有し、前記外パットの前記凹部に前記内パットを嵌合して組合せることにより、前記外パットの前記柱状中空体と前記内パットの前記柱状中空体とで前記内容物の端部の四方を保持するものであるため、内パットを内容物に合せて造る一方、外パットは内容物の形状に関わらず共通して用いることができるため、外パットの量産が可能となるので段ボールパッキンの製造コストを大幅に下げることができるという効果を有する。
【００３７】
請求項２記載の発明は、前記内パットは、直交する二方向から折り込んで柱状中空体を形成し、一方の前記柱状中空体の折り込んだ端部を他方の前記柱状中空体の内容物が位置する側以外の面に設けた穴部に嵌入させて固定することにより、緩衝効果をより大きくすることができるという効果を有する。
【００３８】
請求項３記載の発明は、前記内パットは、三角柱状中空体を枠体の長片と短片より形成される角部に有し、前記三角柱状中空体は前記長片と前記短片とを固定し、前記三角柱状中空体の斜面が内部に収容された内容物に当接することにより、内容物が斜面を有する場合であってもその斜面を柱状中空体で支持できるため、緩衝効果をより大きくすることができるという効果を有する。
【００３９】
請求項４記載の発明は、平行に折り曲げることで第一の立体部を構成する複数の平行面が連続する方向の端面に所定の角度を持たせて連設され、折り曲げることで三角柱状中空体を構成する連続面を有することにより、二つの立体が連続的に形成されるため、構造強度が高いばかりでなく製造・組立ても極めて簡易な段ボールパッキンが得られるという効果を有する。
【００４０】
請求項５記載の発明は、前記外パット及び前記内パットを左右一対有し、前記外パットの対向する垂直面と前記内パットの上部水平面とに接する状態で前記一対のパット部の間に篏入される上部パットを有することにより、外箱自体の水平面内での歪みに対する強度が格段に向上するという効果を有する。
【００４１】
請求項６記載の発明は、外箱高さ方向と略同一の高さを有し、かつ、その高さ方向と平行に設けた２本の折目を屈曲させて断面コ字状の状態で篏合する段ボールパッキン補強パットを設けることにより、簡易な構成で段ボールパッキンの高さ方向の強度を格段に向上させることができるという効果を有する。
【００４２】
請求項７記載の発明は、一枚の段ボールから折り起こした三角柱状中空体を枠体の長片と短片より形成される角部に有し、前記三角柱状中空体は前記長片と前記短片とを固定し、前記三角柱状中空体の斜面が内部に収容された内容物に当接することにより、内容物が斜面を有する場合であってもその斜面を柱状中空体で支持できるため、緩衝効果をより大きくすることができるとともに斜方向の強度を増強させることができるという効果を有する。
【図面の簡単な説明】
【図１】本発明の一実施例による段ボールパッキンの全体構造を示す斜視図
【図２】本発明の一実施例による内パット１Ｒの展開図
【図３】本発明の一実施例による内パット１Ｒの半組立て図
【図４】本発明の一実施例による内パット１Ｒの半組立て図
【図５】本発明の一実施例による内パット１Ｒの組立て図
【図６】本発明の一実施例による段ボールパッキンを使用して内容物を収納した状態の断面図
【符号の説明】
１Ｒ，１Ｌ  内パット
２Ｒ，２Ｌ  補助パット
３Ｒ，３Ｌ  外パット
５  柱状中空体
８  三角柱状中空体
【図１】
0003626223.tif 000002
【図２】
0003626223.tif 000003
【図３】
0003626223.tif 000004
【図４】
0003626223.tif 000005
【図５】
0003626223.tif 000006
【図６】
0003626223.tif 000007